(57)【要約】【課題】湿度変化に原因して膨張、収縮を起こしても、床材間の隙間が目立たない木質床材及びこの木質床材を使用した床構造を提供する。【解決手段】接続すべき端面に実はぎ用の雄実または雌実を有する木質床材であって、雄実上方端面及び雌実上方端面を同方向に傾斜させてある。【選択図】　　図１
2004124461.tif 000002
【特許請求の範囲】
【請求項１】
接続すべき端面に実はぎ用の雄実または雌実を有する木質床材であって、雄実上方端面及び雌実上方端面を同方向に傾斜させてある木質床材。
【請求項２】
上記雄実上方端面の雄実上水平面との傾斜角を雌実上方端面の雌実上水平面との傾斜角より僅かに小さくしてある上記請求項１に記載の木質床材。
【請求項３】
上記雄実上方端面の雄実上水平面との傾斜角を概略４５度程度とし、雌実上方端面の雌実上面との傾斜角を概略５０度程度としてある上記請求項２に記載の木質床材。
【請求項４】
上記雄実の突出寸法と雌実の窪み寸法を、雄実の突出寸法より雌実の窪み寸法を僅かに大きくしてある上記請求項１〜３の何れかに記載の木質床材。
【請求項５】
上記雄実上方端面の上端部を面取りしてある上記請求項１〜４の何れかに記載の木質床材。
【請求項６】
上記請求項１〜５に記載の何れかの木質床材を並列し、隣れる木質床材の雌実に隣れる木質床材の雄実を嵌め合せて敷設する床構造。
【発明の詳細な説明】
【０００１】
【発明の属する技術分野】
本発明は、ひのき、杉、松等の無垢の木材を用いた木質床材及びこの床材を使用した床構造に関する。
【０００２】
【従来の技術】
木質板を使用し、この木質板の片側に実はぎ用の雄実を設け、反対側に雌実を設けた木質床材は公知である（例えば、特許文献１参照）。また、上記木質床材の複数を平行に並べて隣れる床材の雄実を隣れる床材の雌実に嵌め合せて、敷設する床構造も公知である（例えば、特許文献１参照）。
【０００３】
【特許文献１】
特開平１０−１８３９６４号公報
【０００４】
【発明が解決しようとする課題】
上記公知の無垢の木質床材は、空気中の湿気に影響されて大きい膨張、収縮を起こし、乾燥度が高い場合には、各木質床材が収縮し、隣れる床材間に隙間が生じ、特に、雄実上方端面及び雌実上方端面を垂直面としてあるから、この隙間が目立ってしまうという課題があり、逆に湿度が高くなると、各木質床材が膨張して、床材が浮き上がるという課題がある。さらにパネル化した床材の場合、パネル間の隙間がさらに大きくなるという課題がある。
上記の結果近時にあっては、無垢の木質床材は嫌われて使用されない傾向にあり、湿度差による膨張、収縮の少ない合板木材による床材が使用されるようになっている。しかし合板木材の床材に比し無垢の木質床材の方が２１世紀の循環型社会システムに対応でき、健康住宅、天然素材指向に最適し、住宅のライフサイクルに配慮され、環境負荷の低減になり、森林資源の有効利用、省エネルギーになり、好ましい。
本発明は、上記の点に鑑み、湿度変化に原因して膨張、収縮を起こしても、床材間の隙間が目立たない新規な木質床材及びこの木質床材を使用した床構造を提供するものである。
【０００５】
【課題を解決するための手段】
そのために、本発明木質床材は、接続すべき端面に実はぎ用の雄実または雌実を有する木質床材であって、雄実上方端面及び雌実上方端面を同方向に傾斜させてある。即ち、木質床材が乾燥により収縮しても、隣れる床材の衝合する接続面が傾斜面であり、床材間に隙間が生ぜず、また隙間が生じても、その深さは浅く隙間が目立たない。
【０００６】
また、本発明木質床材は、上記雄実上方端面の雄実上水平面との傾斜角を雌実上方端面の雌実上水平面との傾斜角より僅かに小さくしてある。即ち、雄実上方端面の上方と雌実上方端面の上端とが衝合する状態であっても、雄実上方端面の下端と雌実上方端面の下端との間には僅かな隙間が残されており、木質床材のさらに僅かな膨張も許容できる。
【０００７】
さらに、本発明木質床材は、上記雄実上方端面の雄実上水平面との傾斜角を概略４５度程度とし、雌実上方端面の雌実上水平面との傾斜角を概略５０度程度としてある。即ち、最も実現し易い具体的な傾斜角であり、木質床材として現実的である。
また、本発明木質床材は、上記雄実の突出寸法と雌実の窪み寸法を、雄実の突出寸法より雌実の窪み寸法を僅かに大きくしてある。即ち、雄実の突出寸法と雌実の窪み寸法との差により、これらの嵌め合せに余裕が生じ、木質床材の大きい膨張にも対応できる。
本発明木質床材は、上記雄実上方端面の上端部を面取りしてある。即ち、雄実上方端面の上端部を面取りしてあることにより、高湿度による隣れる木質床材の膨張により、上記上端面が突き出してささくれることがない。
【０００８】
本発明床構造は、上記請求項１〜６に記載の何れかの木質床材を並列し、隣れる木質床材の雌実に隣れる木質床材の雄実を嵌め合せて敷設する。即ち、これにより、木質床材間の隙間が目立たない高級感のある床を得ることができる。
【０００９】
【発明の実施の形態】
以下図面に示した実施例により、本発明木質床材の詳細を説明する。図中符号１０，１０が無垢の木材からなる木質床材で、公知の床材同様に接続すべき端面に実はぎ用の雄実１と雌実２を有する。
この木質床材１０は、その雄実１側に雄実上方端面１１と、雄実下方端面１２とを有し、さらに雄実１の上下水平面１３，１４と先端垂直面１５を有する。
一方、雌実２側に雌実上方端面２１と、雌実下方端面２２とを有し、さらに雌実２の上下水平面２３，２４と内奥垂直面２５を有する。
【００１０】
本発明では、上記雄実１側の雄実上方端面１１及び雌実２側の雌実上方端面２１を共に同方向に傾斜させてある。好ましい実施例は、図に示すように雄実上方端面１１が雄実１の上方水平面１３となす角度θ１を概略４５度程度とし、雌実上方端面２１が雌実２の上水平面２３となす角度θ２を概略５０度程度としてある。即ち、雄実上方端面１１の傾斜角θ１を雌実上方短面１２の傾斜角θ２より僅かに小さくしてある。
さらに、雄実１の突出寸法Ｄと雌実２の窪み寸法ｄとの関係を、雌実２の窪み寸法ｄの方が雄実１の突出寸法Ｄより僅かに大きくしてあり、好ましくはその寸法差を２〜３ｍｍ程度としてある。
また、本発明の別の実施例では、図４に示すように雄実上方端面の上端部を面取り１６してある。
【００１１】
上記の通りの構成からなる本発明木質床材を根太上に敷設して本発明床構造を構成するには次のようにして施工する。
先ず、一枚の木質床材１０を根太上に敷き、雄実１に釘３を雌実２方向に斜めに向けて打ち込み固定する（釘打ち不要の際には釘打ちの必要はない）。次に、隣れる木質床材１０をその雌実２を上記敷設した木質床材１０の雄実１に嵌め合せて位置決めし、同じく雄実１に釘を雌実方向に斜めに向けて打ち込み固定する。このようにして順次隣れる木質床材を敷設して床構造を構成する。
【００１２】
このようにして構成した床構造は、雄実上方端面１１および雌実上方端面２１を同方向に傾斜させてあるから、隣れる木質床材１０，１０間に隙間を生じないように密に敷設できるとともに、隙間が生じたとしても傾斜面であるから垂直面のように目立たない。そして、雄実上方端面１１の傾斜角θ１を雌実上方端面２１の傾斜角θ２より僅かに小さくしてあるから、隣れる木質床材間を密接して敷設してあっても、雄実上方端面１１の下端と雌実上方端面２１の下端との間に僅かな隙間が残されており、高湿度になっても木質床材が膨張しても、この膨張を受容できる。
【００１３】
また、上記雄実上方端面１１の傾斜角θ１を概略４５度程度とし、雌実上方端面２１の傾斜角θ２を概略５０度程度として具体化し、現実的なものとした。そして、上記雄実１の突出寸法Ｄと雌実２の窪み寸法ｄとの関係を、雌実２の窪み寸法ｄを雄実１の突出寸法Ｄより僅かに大きくしたことにより、木質床材の湿度変化による膨張、収縮作動を円滑に受け入れ、木質床材の大きい膨張をも受け入れ、特に雄実上方端面１１と雌実上方端面２１の傾斜面による接合と相俟って良好な床構造を得られる。
さらに、雄実上方端面１１の上端部を面取り１６したものでは、過度の膨張によっても、この上端部が突き出してささくれることもない。
【００１４】
そして特に、本発明木質床材を使用して次のような敷設工法で床構造を敷設することにより、きわめて好ましい床構造が得られる。
即ち、図５に示すように、先ず一枚の木質床材１０を根太上に打ち込み固定する。次いで隣れる木質床材１０を、その雌実２を上記既に敷設した木質床材１０の雄実１に嵌め合せて、先に敷設した木質床材１０の雄実下方端面１２と後から敷設する木質床材１０の雌実下方端面２２とが接合する程度にまで打ち込んで同様に釘を打ち込む。この際、雄実上方短面１１の傾斜角θ１と雌実上方短面２１の傾斜角θ２とを、その傾斜角を僅かに相違させθ１＜θ２としてあるから、図５に示すように面取り１６した上端部が僅かに迫り上がって敷設され、その後の木質床材１０の収縮により上記迫り上りが戻り、隙間のない好ましい床構造が得られる。
【００１５】
【発明の効果】
本発明木質床材は、接続すべき端面に実はぎ用の雄実または雌実を有する木質床材であって、雄実上方端面及び雌実上方端面を同方向に傾斜させてあるから、木質床材が乾燥により収縮しても、隣れる床材の衝合する接続面が傾斜面であり、床材間に隙間が生ぜず、また隙間が生じても、その深さは浅く隙間が目立たないという効果がある。
【００１６】
また、本発明木質床材は、上記雄実上方端面の雄実上水平面との傾斜角を雌実上方端面の雌実上水平面との傾斜角より僅かに小さくしてあるから、雄実上方端面の上方と雌実上方端面の上端とが衝合する状態であっても、雄実上方端面の下端と雌実上方端面の下端との間には僅かな隙間が残されており、木質床材のさらに僅かな膨張も許容できる。
【００１７】
さらに、本発明木質床材は、上記雄実上方端面の雄実上水平面との傾斜角を概略４５度程度とし、雌実上方端面の雌実上水平面との傾斜角を概略５０度程度としてあるから、最も実現し易い具体的な傾斜角であり、木質床材として現実的である。
また、本発明木質床材は、上記雄実の突出寸法と雌実の窪み寸法を、雄実の突出寸法より雌実の窪み寸法を僅かに大きくしてあるから、雄実の突出寸法と雌実の窪み寸法との差により、これらの嵌め合せに余裕が生じ、木質床材の大きい膨張にも対応できる。
本発明木質床材は、上記雄実上方端面の上端部を面取りしてあるから、高湿度による隣れる木質床材の膨張により、上記上端面が突き出してささくれることがない。
【００１８】
本発明床構造は、上記請求項１〜６に記載の何れかの木質床材を並列し、隣れる木質床材の雌実に隣れる木質床材の雄実を嵌め合せて敷設するから、これにより、木質床材間の隙間が目立たない高級感のある床を得ることができる。
【図面の簡単な説明】
【図１】本発明木質床材の一実施例の連続状態を示す一部切欠正面図。
【図２】本発明木質床材の一実施例を示す正面図。
【図３】本発明木質床材の一実施例の要部を示す正面図。
【図４】本発明木質床材の別の実施例の要部を示す正面図。
【図５】本発明木質床材の敷設作業時の状況を説明する正面図。
【符号の説明】
１　雄実
２　雌実
３　釘
１０　木質床材
１１　雄実上方端面
１２　雄実下方端面
１３　上水平面
１４　下水平面
１５　先端垂直面
１６　面取り
２１　雌実上方端面
２２　雌実下方端面
２３　上水平面
２４　下水平面
２５　内奥垂直面
【図１】
2004124461.tif 000003
【図２】
2004124461.tif 000004
【図３】
2004124461.tif 000005
【図４】
2004124461.tif 000006
【図５】
2004124461.tif 000007